(57)【要約】      （修正有）【課題】椅子に腰をかけてギターを演奏するとき、ギターを支持する姿勢を楽にさせ、長時間の演奏でも疲れが少なく腰等への身体に及ぼす悪影響を軽減して演奏の上達を図り、スカート姿で演奏するときでも普通の自然な着席姿勢でギターを構えることができ、安定した支持ができるギターの支持具を提供する。【解決手段】ギターを支持する太ももの代わりになるギター支持バー２を設け、これを高さ調節アーム５、支持柱１０およびベースプレート１８とで支え、椅子座で重量をうける。支持柱は太ももの外側に立てる。両足は自由になり両太ももには重量がかからない。スカート姿でも普通の着席姿にてギターを構えることができ、重量はギターの支持具１にかかり、ギターと身体間の滑りが生ずることなく、身体には不自然で無理な力が働かない。【選択図】図１
0003231099.tif 000002
【実用新案登録請求の範囲】
【請求項１】
ギターを椅子に座って演奏するときギターを載せる演奏者の太ももの代わりに、ギター支持バー２を設け、これを支える高さ調節アーム５、支持柱１０とこれらを支えるベースプレート１８とからなるギターの支持具。
【請求項２】
請求項１によるギター支持バー２はギターや腕の重量を支えて、太ももには重量がかからない。ギター支持バー２で受けた重量は高さ調節アーム５、支持柱１０へと伝わり、最後にベースプレート１８が受け、そのまま椅子座ａで受ける。
【請求項３】
請求項２により太ももには重量がかからず、両足は自由になるため、左右独立した足の構えをとることができる。太ももの上で楽器を支える必要がないので太ももとギター間の滑りやズレが生じない。スカート姿の演奏者でもギターと太もも間のズレが生ずることなく普通の自然な姿の着席にてギターを安定して保持できる。支持柱１０のサイズを変えることにより子供から大人まで幅広く最適なギター支持高さが得られる。
【請求項４】
請求項２におけるギター支持バー２は植え込みボルト４により高さ調節アーム５に取り付けられる。植え込みボルト４はギター支持バー２に偏心させ植え込んでいる。
ギターを載せた時、傾き調節ノブ７を緩めてギター支持バー２を回転させながら、ギター本体の前後左右の傾きを微調節することができる。
【請求項５】
請求項１による高さ調節アーム５は支持柱１０に高さ調節ノブ８にて取り付けられる。演奏者の体格や椅子の高さに応じてギターの支持高さを変えられる。
【請求項６】
ベースプレート１８は太ももと椅子座ａの間に挟み、太ももから自然に加わる重量によりギターの支持具１全体の固定化が図られる。ベースプレート１８の表面はなだらかな山形の丸みをつけている。当支持具全体の水平方向転回が容易にできる。なだらかな山形形状によりベースプレートに乗る太ももの裏側荷重分布が滑らかになり、太もも裏側への局所的ストレスを緩和する。
【請求項７】
請求項１によるギター支持バー２、高さ調節アーム５、支持柱１０、これらを受けるベースプレート１８は分解組み立てが容易に行える。部品のサイズが小さくカバンに入れて持ち運びが容易である。
【請求項８】
請求項１による本考案は、両太ももの間に支持柱１０がくるように置き方を変えて使用することができる。右太ももの上にギターを載せ演奏する代用になると同時にギター支持の安定感が向上する。
【請求項９】
請求項２によるギター支持バー２を高さ調節アーム５に対して反対側に差し込み付け替え、かつ支持柱１０が両太ももの間に来るように置き換えて使用ができる。演奏者の好みに応じた安定感が得られる。
【請求項１０】
請求項１による楽器本体を直接受けるギター支持バー２の形状について、種々の太さを持つ丸棒形、ギター側板のわん曲部に沿った形状のもの、ギター側板わん曲部を締め付けて固定する等のアタッチメントを選べる。またほかの楽器を載せることや、吊り下げが可能である。
【考案の詳細な説明】
【技術分野】
【０００１】  本考案は、椅子に座ってギターを演奏するときにギターを支える支持具に関するものである。
【背景技術】
【０００２】  椅子に座ってギターを演奏するとき、図８に示す足台ｂを使用する方法がある。左足を足台ｂに乗せ左太ももを高くして、その上にギターを載せ、安定させて構える。足台ｂが折りたたみ式では、ギターの保持高さを自由に調節できるようになっている。【０００３】  従来から使用されている図９ギターレストｃがある。ギターの保持高さやギターの前後や左右の傾きを自由に変えられる。ギターを直接捕捉する方法としては吸盤で固定する型、挟み込みタイプ等がある。両足のバランスを自由にとれる。【０００４】  左太ももに帯板を横に載せ、帯板から立ち上がった高さ調整プレート上端に吸盤を設け、ギター側板のわん曲部を吸盤で固定化して、ギターと一体化したタイプである図１０に示すエルゴプレイｄがある。垂直方向の支柱板で高さや前後の傾き調整がネジで調節できるようになっている。ギターとエルゴプレイｄが一体となっているので前後左右の傾きが自由にとれる。【０００５】  特許文献１によれば太ももに跨乗する台板に立てた支柱の上端に吸着具を取り付けギターを捕捉する支持具がある。吸盤の能力を向上させ、ギター本体裏板にとりつける。本用具を両太ももにそれぞれ１セットずつ載せギターを支持する。ギターの傾きや高さを自由に調節できる。【０００６】  特許文献２によれば床面または椅子座板に支柱を立て、ギターその他の楽器を支柱によりギター等の楽器を吊り下げ、ギターを自由に傾けたり演奏姿勢が自由にとれる構造になっている。【０００７】  特許文献３によれば、床板から立ち上げた支柱の上端につけた平板にギター捕捉用の吸盤を設けた支持具。支柱は高さ調整ができ、吸盤を取り付けた平板は傾き調整ができる。
【先行技術文献】
【特許文献】
【０００８】
【特許文献１】特開２００５−４３８４４号公報
【特許文献２】特開２００３−２３３７０号公報
【特許文献３】実開平５−３８６９３号公報
【考案の概要】
【考案が解決しようとする課題】
【０００９】  ギター演奏時、従来から足台を用いて片足を高く上げ太ももの上にギターを載せ支持する方法については、片足を高くすることにより腰回りが不均衡になり、腰並びに両足にアンバランスな力が加わり、演奏者によっては腰等の健康を害する場合がある。またアンバランスな姿勢からくる疲労が多くなりやすく，演奏の上達を阻害する場合がある。【００１０】  足台を使用して片足を持ち上げ安定性を図るため、一方の足の広がりともう一方の足の持ち上がりのため、スカート姿の場合には演奏時に気を配る必要がある。【００１１】  ギターレストやエルゴプレイの場合は吸盤の耐久性に気を配る必要性がある。また片足の太ももに多くのギター重量や腕の重量が加わり、アンバランスな加重による疲労が生じやすい。また支柱の安定性に気を使う必要があり、特に初心者には難しい面がある。
スカート姿の場合はスカートと太ももにズレが生じ易く支持が難しい。【００１２】  特許文献（１）によると、ギター本体裏板に直接吸盤をとりつけ、吸盤を支柱で受けて台板で支えて両太ももの上に載せるため、ギター等の両足への重量負担は大きい。
両太ももに台板が載るため両足の自由度は限定される。吸盤でギターを捕捉するため、ギター脱落の危険性をはらんでいる。また吸盤をギター裏板に取り付けるため裏板の共振性が損なわれ音質に影響することが考えられる。【００１３】  特許文献（２）によると、ギターを支持する支柱を取り付けるための穴の開いた椅子の準備、または支柱用穴の開いた楽器支持用敷物を準備する必要がある。【００１４】  特許文献（３）によると支持用具の床面への固定のための特別な固定金具または取り付け穴等を要する。またギターの安定支持に不安がある。【００１５】  上記のように、ギターの演奏時の不自然な姿勢からくる身体の疲労や故障、着衣の選択、ギター支持の安定性、ももにかかる荷重、特別に加工された椅子や敷物の必要性、ギター本体の捕捉方法による音量・音質の劣化等に対する改善が望まれる。
【課題を解決するための手段】
【００１６】  従来から、ギター並びに腕の重量を直接支えてきた太ももの代わりに、重量を直接受けるギター支持バー２を設ける。ギター支持バー２は固定された動かない安定的な支持構造とする。ギター支持バー２は高さ調節アーム５にボルト・ナットで固定され、高さ調節アーム５はももの外側に立てられた支持柱１０で支えられ、ギター支持高さを調節する。支持柱１０はベースプレート１８で固定される。ギターと腕の重量はベースプレート１８に伝えられ、最終的に椅子座ａが重量を受け止める。
【考案の効果】
【００１７】  ギター並びに腕の重量はギター支持バー２にかかり、太ももの外側の支持柱１０を通り椅子座ａにそのまま伝わるので太ももには重量がかからない。また両足は拘束されず自由になるため体に余分な力が加わらず、体全体が安定する。アンバランスな姿勢がなくなり、疲労が少なく演奏の向上が期待できる。【００１８】  演奏中ギターの支持具１の不安定さやズレの心配がない。図２に示すようにギターの演奏は、ギター支持バー２にギターを載せ、右の太もも内側部、右ひじおよび胸部とで軽くギターを支持する程度でギターを安定して支持ができる。【００１９】  演奏者の体形、椅子の高さに合わせたギターの支持高さを高さ調節ノブ８にて容易に調節でき様々な体形に対応できる。【００２０】  ギターの前後左右の位置および傾き調整は、ベースプレート１８に載せている太ももを少し持ち上げギター支持具１全体を移動させることにより可能となる。またギターを載せて、傾き調節ノブ７を緩めてギター支持バー２を回転させながらギター本体の前後左右の傾きを変えられ、ギター本体と本考案のギターの支持具１および演奏者との一体感が得られる。【００２１】  支持柱１０が太ももの外側に立っているので、スカート姿でも普通の姿勢で着席できる。スカートの上に支持具が乗らないのでギターがずれて移動する心配がない。【００２２】  部品点数が少なく各々小型であり、ギター支持バー２、これを支える高さ調節アーム５、支持柱１０およびベースプレート１８の分解組み立てが簡単にできて持ち運びが容易である。
【図面の簡単な説明】
【００２３】
【図１】本考案のギターの支持具の一実施例を示す全体図である。
【図２】本考案のギターの支持具の代表的な使用例を示す図である。
【図３】本考案のギターの支持具の部品組み立て図である。
【図４】本考案のベースプレートの断面形状を示す図である。
【図５】スカート姿のギター奏者が本考案のギター支持具を使用する例を示す図である。
【図６】本考案のギター支持具のギター支持バー２を反対側に付け替えて支持柱を両脚の間に置いて使用する例である。
【図７】ギターを右太ももの上に置いて演奏する形式のとき、右太ももの上にギターを直接載せる代わりに本考案のギター支持具を使用する例である。
【図８】足台ｂを使用してギターを支持する従来の演奏姿を示す図である。
【図９】ギターレストｃを使用してギターを支持する演奏姿を示す図である。
【図１０】エルゴプレイｄを使用してギターを支持する演奏姿を示す図である。
【考案を実施するための形態】
【００２４】  椅子に座りギターを演奏するとき、ギターを太ももの上に載せる代わりに、ギターを支えるバーを設け、支持柱でバーを支え支持柱をベースプレート上に立てる。バーと高さ調節アームおよび支持具全体でギターの支持高さと傾きおよび方向を調節する。ベースプレートは椅子座に置かれてギターおよび腕の重量を椅子座で受ける。両脚は自由になり重量が加わらない。スカート姿の演奏においても両足が自由であり自然な態勢で着席できる。
【実施例】
【００２５】  以下、添付図面に従って一実施例を説明する。図１は本考案のギターの支持具実施例の全体図である。従来からギターを載せていた太ももの代わりに、ギター支持バー２を設けこの上にギターを載せる。【００２６】  図２は本考案を使用した様子を示す。ギターの支持具１を椅子の上に置き左太ももをベースプレート１８の上に置き椅子座面で挟み固定する。ギター支持バー２の上へギターを載せる。【００２７】  図３は本考案の分解組立図を示す。ギター支持バー２は植え込みボルト４を偏心させ取り付けてあり、ギター支持バー２を回転させることによりギター支持方向の微調整が可能である。回転止めノブ１４は高さ調節アーム５がギターの重量で緩み回転しないように締め付け固定するものである。図に示すように傾き調節ノブ７、高さ調節ノブ８、回転止めネジ１４および支持柱固定ネジ２０を回すことにより各部分の分解・組み立てが簡単にでき、持ち運びが容易である。【００２８】    図４はベースプレート１８の外周になだらかな山形形状の面取りを施す断面を示す。ギターの支持具１全体を左右前後の移動および方向転換を容易にする。また太ももを載せた時太ももの裏側がなだらかな荷重分布になり局所的ストレスの緩和を図っている。【００２９】    図５はスカート着用時の演奏姿を示す。本考案の器具を使用することにより、スカート着用時でもギターのズレ等による移動がなく、安定して支持ができる。【００３０】    図６に示すように、演奏者の好みに応じて支持柱１０を両脚の間に置きギターを支持することができる。この場合はギター支持バー２を高さ調節アーム５に対して反対側に付け替えるだけで可能となる。図７に示すように支持柱１０を両脚の間に置きかつベースプレート１８を右太ももの下に挟み使用することができる。ギターを右太ももの上に載せて演奏するときの代用になる。【００３１】図８、図９および図１０は従来から使用されているギター支持具の様子を示す。
【符号の説明】
【００３２】  １  ギターの支持具
２  ギター支持バー
３  クッション
４  植え込みボルト
５  高さ調節アーム
６  ワッシャー
７  傾き調節ノブ
８  高さ調節ノブ
９  ワッシャー
１０  支持柱
１１  ワッシャー
１２  ナット
１３  キャップ
１４  回転止めノブ
１５  ワッシャー
１６  回転止めプレート
１７  植え込みナット
１８  ベースプレート
１９  植え込みナット
２０  支持柱固定ネジ
ａ  椅子座
ｂ  足台
ｃ  ギターレスト
ｄ  エルゴプレイ
【図１】
0003231099.tif 000003
【図２】
0003231099.tif 000004
【図３】
0003231099.tif 000005
【図４】
0003231099.tif 000006
【図５】
0003231099.tif 000007
【図６】
0003231099.tif 000008
【図７】
0003231099.tif 000009
【図８】
0003231099.tif 000010
【図９】
0003231099.tif 000011
【図１０】
0003231099.tif 000012
【手続補正書】
【提出日】令和2年12月14日(2020.12.14)
【手続補正１】
【補正対象書類名】実用新案登録請求の範囲
【補正対象項目名】全文
【補正方法】変更
【補正の内容】
【実用新案登録請求の範囲】
【請求項１】
ギターを椅子に座って演奏するときギターを載せる演奏者の太ももの代わりに、ギター支持バー（２）を設け、これを支える高さ調節アーム（５）、支持柱（１０）とこれらを支えるベースプレート（１８）とからなるギターの支持具（１）。
【請求項２】
ギターや腕の重量を直接受ける横棒を設け、横棒の一端部は請求項１による高さ調節アーム（５）に固定するための植え込みボルト（４）を有するギター支持バー（２）を具えたギターの支持具（１）。
【請求項３】
請求項２におけるギター支持バー（２）を高さ調節アーム（５）に固定するためのネジは、ギター支持バー（２）の芯に偏心させて植込まれる植え込みボルト（４）を有するギターの支持具（１）。
【請求項４】
請求項１によるギター支持バー（２）をブーム型のアーム先端部に固定し、下端部は請求項１による支持柱（１０）の先端に取り付けて随時可動可能な固定用ネジ穴を有する高さ調節アーム（５）を具えたギターの支持具（１）。
【請求項５】
高さ調節アーム（５）を支えるためのネジ穴を先端部に有し、下端部はベースプレート（１８）に固定するための植え込みナット（１７）を嵌め込み、先端部と下端部の間は湾曲した形状を有する柱状の支持柱（１０）を立てたギターの支持具（１）。
【請求項６】
支持柱（１０）を固定するためのネジ穴を有する台板を設け、平面形状が丸みを持ち台板表面全体がなだらかな山形のベースプレート（１８）を有するギターの支持具（１）。
【請求項７】
請求項１によるギター支持バー（２）、高さ調節アーム（５）、支持柱（１０）およびこれらを支えるベースプレート（１８）の各結節点は締付固定用のネジ穴を持ちネジにより分解組み立てができるギターの支持具（１）。